(57)【要約】【課題】赤外線センサを用いて自動点消灯を行う上で、使用者の使用状況による誤操作を容易に抑制すると共に、使用者がより好適に使用できるようにする。【解決手段】この照明器具は、蛍光灯１１を点消灯させる点灯回路１３と、照射部６ａから発光された赤外線が反射体（人の手等）に反射して受光部６ｂで受光されたときに検知信号を出力する反射形赤外線センサ６と、赤外線検知範囲（感度）を例えば５ｃｍ／２０ｃｍの２段階等に切替る感度切替スイッチＳＷ２と、感度切替スイッチＳＷ２の切替位置に応じて反射形赤外線センサ６の赤外線検知範囲を５ｃｍ／２０ｃｍに可変する検知回路１５と、入力された検知信号にて点灯回路１３の点消灯動作を制御する自動点消灯制御回路１６と、電源装置１４からの電源を常時ＯＦＦ、常時ＯＮ、赤外線検知による自動オン／オフ動作等に強制的に切り替える主スイッチＳＷ１を有する。【選択図】      図１
2004265732.tif 000002
【特許請求の範囲】
【請求項１】
光源を点灯する点灯回路と；
赤外線が照射される照射部と、反射体に反射された前記赤外線を受光する受光部とを有する反射形赤外線センサと；
前記反射形赤外線センサの赤外線検知感度を段階的に切替える感度切替えスイッチと；
前記感度切替えスイッチにより切替えられた感度で動作する前記反射形赤外線センサから出力された検知信号を基に前記点灯回路の点消灯動作を制御する制御手段と；
前記光源を常時点灯、常時消灯、前記反射形赤外線センサおよび制御手段による自動点消灯のいずれかのモードに強制的に切替える主スイッチと；
を具備したことを特徴とする照明器具。
【請求項２】
主スイッチは、一つの操作部を有しており、この操作部を操作することで強制的に常時点灯、常時消灯及び自動点灯モードに切替えるように設けられているものであり、かつ、常時点灯、常時消灯及び自動点消灯モードに対応する各々のモードの位置は、少なくとも常時消灯が真中となるように設けたことを特徴とする請求項１記載の照明器具。
【請求項３】
感度切替えスイッチの操作部は、器具本体の表面から低い位置となる凹部に位置するように設けたことを特徴とする請求項１または２記載の照明器具。
【請求項４】
反射形赤外線センサの表面側にはカバーが設けられており、このカバーの表面が器具本体の表面から低い位置となる凹部であって、かつこの凹部の表面と略同等の位置になるように設けたことを特徴とする請求項１乃至３いずれか１記載の照明器具。
【発明の詳細な説明】
【０００１】
【発明の属する技術分野】
本発明は、例えば流し台等のキッチンカウンタ上方の棚の下面に取り付けられる照明器具に関する。
【０００２】
【従来の技術】
従来の照明器具は、器具本体から下垂した引き紐スイッチに直接触れ、引き紐スイッチを引くことで点灯あるいは消灯するものである。この他、照明器具自体にスイッチが設けられ、そのスイッチを手で直接押すことで点灯あるいは消灯させるものもある。
この種の照明器具の場合、スイッチに直接触れるためスイッチが汚れる、濡れた手で触ると場合によっては感電する、などといった不具合が生じることがある。
【０００３】
そこで、近年では、赤外線センサなどの人感センサを用い、人の手の熱を感知、あるいは赤外発光ダイオードと反射式ホトセンサーで人の手で反射した赤外線を受光して照明をオン／オフする技術が発案されている（例えば特許文献１参照）。
ところで、最近、注文住宅の需要が多く、流し台およびガステーブル等が一体となったキッチンカウンタの高さやその上方に設置される食器収納棚の高さが住宅によって異なるケースが多くある。
このような場合に対処するために、特許文献１には、使用者がボリュームを調整することでセンサの感度調整を行い、検知エリアを決定することが示されている。
【０００４】
【特許文献１】
特開平３−２８０３９８号公報
【０００５】
【発明が解決しようとする課題】
しかしながら、特許文献１記載の照明器具では、使用者の微調整が煩雑であると共に、感度調整機構をボリュームのような機構で設けると回路構成が複雑かつ高価となる虞がある。
さらに、例えば光源を交換する際には、光源への電源供給を確実に遮断することが好ましいが、特許文献１記載の照明器具では、誤操作により光源側へ電源が供給される場合があり、使用者にとっては好適なものではない。
【０００６】
本発明はこのような課題を解決するためになされたもので、赤外線センサを用いて自動点消灯を行う上で、使用者の使用状況による誤操作を容易に抑制すると共に、使用者がより好適に使用できる照明器具を提供することを目的としている。
【０００７】
【課題を解決するための手段】
上記した目的を達成するために、請求項１記載の発明の照明器具は、光源を点灯する点灯回路と；赤外線が照射される照射部と、反射体に反射された前記赤外線を受光する受光部とを有する反射形赤外線センサと；前記反射形赤外線センサの赤外線検知感度を段階的に切替える感度切替えスイッチと；前記感度切替えスイッチにより切替えられた感度で動作する前記反射形赤外線センサから出力された検知信号を基に前記点灯回路の点消灯動作を制御する制御手段と；前記光源を常時点灯、常時消灯、前記反射形赤外線センサおよび制御手段による自動点消灯のいずれかのモードに強制的に切替える主スイッチと；を具備したことを特徴としている。
【０００８】
なお、主スイッチは、一つの操作部を有しており、この操作部を操作することで強制的に常時点灯、常時消灯及び自動点灯モードに切替えるように設けられているものであり、かつ、常時点灯、常時消灯及び自動点消灯モードに対応する各々のモードの位置は、少なくとも常時消灯が真中となるように設けられている。また、感度切替えスイッチの操作部は、器具本体の表面から低い位置となる凹部に位置するように設けられている。
さらに、反射形赤外線センサの表面側には、カバーが設けられており、このカバーの表面が器具本体の表面から低い位置となる凹部であって、かつこの凹部の表面と略同等の位置になるように設けられている。
【０００９】
本発明では、反射形赤外線センサの感度を切替る感度切替スイッチを段階的に切替えられるように設けたので、使用者は検知範囲の微調整が不要であると共に、回路設計も容易となる。
さらに、照明器具の使用環境に応じて感度を切替えられるようになっているので、照明器具の各々の使用状況に伴う誤作動を容易に抑制できると共に、主スイッチを３段階調整スイッチとしたことでメンテナンス性等が向上し、より使用者が好適にかつ誤作動なく使用し易いようになっている。
さらに、本発明では、常時消灯のモードを主スイッチの真中の位置に設けたことにより、自動点消灯モードに切替えたときは必ず光源が消灯からスタートするので、使用者に反射形赤外線センサを用いた器具を使用する際の違和感を感じさせることがない。
また、本発明では、感度切替スイッチの操作部が器具本体の表面から低い位置となる凹部に位置するように設けたので、感度切替スイッチが誤って操作されることを防ぐことができる。
さらに、本発明では、反射形赤外線センサの表面側のカバーを凹部の表面と略同等の位置になるように設けたことで、カバーの表面に傷がつくことを防ぐことができるので、反射してくる赤外線がカバーの傷等により屈折されて適切に受光部に入射されない等といった光学的な不具合の発生を抑制することができる。
【００１０】
すなわち、本発明では、赤外線センサを用いて自動点消灯を行う上で、使用者の使用状況による誤操作を容易に抑制することができると共に、使用者がより好適に使用することができる。
【００１１】
【発明の実施の形態】
以下、本発明の実施の形態を図面を参照して詳細に説明する。
図１は本発明に係る一つの実施形態の照明器具の構成を示す図、図２は図１の照明器具の要部を拡大した断面図である。
【００１２】
図１に示すように、この照明器具は、内蔵する蛍光灯の光を通す透光カバー１ａとこの透光カバー１ａの横に設けられた凹部１ｂとを有する照明器具本体１と、この照明器具本体１の側面１ｃに設けられた主スイッチＳＷ１と、照明器具本体１の凹部１ｂに設けられた反射形赤外線センサ６と、凹部１ｂに設けられ、反射形赤外線センサ６の感度を切替える感度切替スイッチＳＷ２とを有している。感度切替スイッチＳＷ２の操作部は、照明器具本体１の表面から低い位置となる凹部１ｂに位置するように設けられている。
【００１３】
図２に示すように、反射形赤外線センサ６は、照射部６ａとしての発光ダイオード（以下ＬＥＤと称す）と受光部６ｂとしての受光用フォトセンサを一体的に形成したものであり、凹部１ｂに設けられている。凹部１ｂは、感度切替スイッチＳＷ２や反射形赤外線センサ６が不用意に触れられないようにするためのものであり、照明器具本体１から若干低い位置に設けられている。凹部１ｂの面の位置と感度切替スイッチＳＷ２の操作部端面、反射形赤外線センサ６の位置とはほぼ同じ面の位置とされている。
反射形赤外線センサ６の表面には汚れ防止用の黒色でかつ透光性のカバー４が設けられている。このカバー４は、遮光フード５によって支持されている。遮光フード５は、反射形赤外線センサ６を覆うものであり、その下端部に設けた爪で基材７に着脱自在に取り付けられている。遮光フード５は、反射形赤外線センサ６の照射部６ａと受光部６ｂの空間を分離するめの境界壁５ａを備えており、照射部６ａから照射された赤外線が直接受光部６ｂにより受光されるのを防いでいる。基材７は照明器具本体１に取り付けられた、例えば回路基板、金属板、樹脂製の板材等である。すなわち、このカバー４の表面は、照明器具本体１の表面から低い位置となる凹部１ｂでありかつこの凹部１ｂの表面と略同等の位置になるように設けられている。
主スイッチＳＷ１は、一つの操作部として、右傾斜，左傾斜、中立等の３段階切替接点部２を有している。この３段階切替接点部２を操作することで強制的に常時点灯（右傾斜のＯＮ）、常時消灯（中立のＯＦＦ）及び自動点灯モード（左傾斜の近接）に切替えることができる。３段階切替接点部２（主スイッチＳＷ１）において、常時点灯、常時消灯及び自動点消灯モードに対応する各々のモードの位置があるが、この中で少なくとも常時消灯（ＯＦＦ）は真中（中立）となるように設定されている。ソケット１２は、照明器具本体１に取り付けられた固定金具３により固定されている。
【００１４】
次に、図３を参照してこの照明器具の回路構成について説明する。
図３に示すように、この照明器具は、蛍光灯１１を挟み込み固定するソケット１２と、このソケット１２に接続された点灯回路１３と、蛍光灯１１を点灯させる電源を供給する電源装置１４と、照射部６ａから発光した赤外線が反射体により反射されて受光部６ｂで受光することで検知信号を出力する反射形赤外線センサ６と、電源供給により反射形赤外線センサ６から入力される検知信号にて点灯回路１３の点消灯動作を制御する自動点消灯制御回路１５と、反射形赤外線センサ６の受光部６ｂで受光される赤外線検知範囲（感度）を切替る感度切替スイッチＳＷ２と、この感度切替スイッチＳＷ２の切替位置に応じて反射形赤外線センサ６の感度を５ｃｍ／２０ｃｍの２段階に可変し、反射形赤外線センサ６からの検知信号を自動点消灯制御回路１６へ出力する検知回路１５と、電源装置１４からの電源を常時ＯＦＦ、常時ＯＮ、赤外線検知による自動オン／オフ動作等に強制的に切り替える主スイッチＳＷ１とを有している。反射体とは例えば人の手等であるが、その他、赤外線を反射するものであればどんなものでも良い。主スイッチＳＷ１は「ＯＮ」，「ＯＦＦ」，「近接」（図１参照）の３つの動作モードを有している。感度切替スイッチＳＷ２をオフすると、検知回路１５の検知感度が良くなり、赤外線検知範囲が２０ｃｍ程度になる。また、感度切替スイッチＳＷ２をオンすると、検知回路１５の検知感度が鈍り、赤外線検知範囲が５ｃｍ程度になる。
【００１５】
すなわち、この照明器具は、蛍光灯１１を点灯する点灯回路１３と、赤外線を蛍光灯１１の照明方向へ発光する照射部６ａと、この照射部６ａから発光された赤外線が検知範囲内で手などの反射体に反射した赤外線を受光する受光部６ｂとを有する反射形赤外線センサ６と、この反射形赤外線センサ６の受光部６ｂの赤外線検知感度あるいは照射部６ａの出力レベルを切り替える感度切替スイッチＳＷ２と、この感度切替スイッチＳＷ２により切り替えられた感度に受光部６ｂあるいは照射部６ａを設定し赤外線検知動作を行わせる検知回路１５と、この検知回路１５により設定された感度で動作する反射形赤外線センサ６から出力された検知信号を基に点灯回路１３の点消灯動作を制御する制御手段としての自動点消灯制御回路１６と、受光部６ｂから検知回路１５を通じて入力された検知信号にて点灯回路１３の点消灯動作を制御する自動点消灯制御回路１６と、蛍光灯１１の点灯を常時点灯、常時消灯、反射形赤外線センサ６による自動点消灯のいずれかに強制的に切り替える主スイッチＳＷ１とを備えている。なお、検知回路１５には、感度切替スイッチＳＷ２がオンされたときに照射部６ａへの電力供給信号ラインに抵抗素子を接続するようにした回路が考えられる。
【００１６】
以下、この照明器具の動作を説明する。
この実施形態の照明器具の場合、ユーザが主スイッチＳＷ１を「ＯＦＦ」の位置にすると、点灯回路１３には電源が供給されず蛍光灯１１は点灯しない。したがって、ユーザが照明器具本体１をクリーニングするときに、主スイッチＳＷ１を「ＯＦＦ」の位置にすることで、照明が自動的にオン／オフしなくなり照明の点消灯に惑わされずに清掃作業を行うことができる。
また、ユーザが主スイッチＳＷ１を「ＯＮ」の位置にすると、自動点消灯制御回路１６には電源が供給されずに、点灯回路１３に直接電源が供給されるようになり、蛍光灯１１は、常に点灯する。
【００１７】
主スイッチＳＷ１を「ＯＮ」の位置にする利用の仕方としては、例えば反射形赤外線センサ６の表面のフィルタ部分に汚れが付着した際に、受光部６ｂで赤外線を受光できなくなることから照明が点灯しない、あるいは消灯しなくなることがある。そこで、フィルタ部分を清掃するまでの間、主スイッチＳＷ１を「ＯＮ」にすることで、手動操作で照明を点けることができる。
【００１８】
一方、ユーザが主スイッチＳＷ１を「近接」の位置にすると、電源装置１４からの電源が自動点消灯制御回路１６を通じて点灯回路１３に供給されるので、ユーザが感度切替スイッチＳＷ２で設定した感度（５ｃｍ，２０ｃｍのいずれか）で動作する反射形赤外線センサ６による検知に基づいて蛍光灯１１を自動的にオン／オフするようになる。
【００１９】
例えば感度切替スイッチＳＷ２をオフにして利用すれば、赤外線検知範囲が２０ｃｍ程度になり、流し台等のキッチンカウンタ上方の食器収容棚の下面までの高さが比較的高い場合に、ユーザは、照明器具本体１に近い位置まで手を伸ばさずに、赤外線センサ６の下方に手をかざせば、照明を点けたり消したりすることができる。
【００２０】
また、感度切替スイッチＳＷ２をオンにして利用すれば、赤外線検知範囲が５ｃｍ程度になり、キッチンカウンタと食器収容棚との間隔が狭い場合や、食器収容棚自体の高さが比較的低い場合に、反射形赤外線センサ６に近いところで手をかざせば、他のキッチン環境（炎や手以外の反射体等）に影響されることなく照明を利用者自身の意思で確実に点灯させたり消灯させたりすることができる。つまり、誤動作を起こすことなく照明を点消灯させることができる。
【００２１】
このようにこの実施形態の照明器具によれば、人感センサとして反射形赤外線センサ６を用いたことで、照明器具本体１に手を触れることなく照明を点消灯させることができ、特に調理の際などには手を清潔に保つことができる。また、感電を起こす恐れもなくなる。手が汚れている場合に手で照明器具本体１を触らずに済むことから手の汚れが照明器具本体１に付着することを防ぐことができる。また、反射形赤外線センサ６は、熱を感知しないため、キッチンテーブルの上部に取付けられる照明器具において人体以外の熱源で誤動作を起こしたり、食器洗い機の扉の開閉を誤検知するという不具合が発生する心配がなくなる。
さらに、反射形赤外線センサ６を下向きに設けたことで、従来の引き紐スイッチによる点消灯方法と変わらない状況で点消灯動作を行えるので、使用者の作業性を低下することがない。
【００２２】
また、ＯＮ、ＯＦＦ、近接（他の言い方としては自動点消灯）の３つの動作モードを切り替える主スイッチＳＷ１を照明器具本体１の側面１ｃに設けたので、照明を常時点灯させたり、常時消したり、あるいはユーザが手を反射形赤外線センサ６の下方に手をかざすことで自動的に点消灯させたりというように、さまざまに利用できる。また、主スイッチＳＷ１は、常に利用するスイッチではないため側面に配置したことで目立たなくなる。
さらに、主スイッチＳＷ１を３段階調整スイッチとしたことでメンテナンス性等が向上し、より使用者が好適にかつ誤作動なく使用し易いようになった。
また、この主スイッチＳＷ１の真中（中立）の位置を常時消灯のモードの位置としたことにより、自動点消灯モードに切替えたときは必ず光源の照明状態が消灯からスタートするので、反射形赤外線センサ６を用いた照明器具を使用者が使用する際に使用者に違和感を感じさせることがない。
【００２３】
反射形赤外線センサ６の感度を切替る感度切替スイッチＳＷ２を段階的に切替えられるように設けたので、使用者は検知範囲の微調整が不要であると共に、回路設計も容易となる。また、この感度切替スイッチＳＷ２を設けたことで、赤外線検知範囲を２０ｃｍ程度までと５ｃｍ程度までの２段階に切り替えることができ、ユーザは、照明器具の感度を宅内のキッチン環境に合わせて利用できる。さらに、この感度切替スイッチＳＷ２を設けたことで、照明器具の使用環境に応じて感度を切替えられるようになったので、照明器具の各々の使用状況に伴う誤作動を容易に抑制できる。また、感度切替スイッチＳＷ２の操作部が照明器具本体１の表面から低い位置となる凹部１ｂに位置するように設けたので、感度切替スイッチＳＷ２が誤って操作されることを防ぐことができる。
【００２４】
反射形赤外線センサ６の表面側のカバー４を、凹部１ｂの表面と略同等の位置になるように設けたことで、カバー４の表面に傷がつくことを防ぐことができるので、反射してくる赤外線がカバー４の傷等により屈折されて適切に受光部に入射されない等といった光学的な不具合の発生を抑制することができる。
【００２５】
なお、本発明は上記実施形態のみに限定されるものではない。
上記実施形態では、感度切替スイッチＳＷ２を独立して設けたが、赤外線センサ６に例えば３秒以上手をかざしておくことで感度を可変するようにソフトウェア制御しても良い。また、上記実施形態では、５ｃｍ程度と２０ｃｍ程度の２段階の切替の例を説明したが、検知範囲（感度）をボリューム等で連続的に切り替えるようにしてもよい。
【００２６】
【発明の効果】
以上説明したように本発明によれば、赤外線センサを用いて自動点消灯を行う上で、使用者の使用状況による誤操作を容易に抑制すると共に、使用者がより好適に使用できる照明器具を提供することができる。
【図面の簡単な説明】
【図１】本発明の一つの実施形態の照明器具の構成を示す図である。
【図２】図１の照明器具の要部を拡大した断面図である。
【図３】この照明器具の回路構成図である。
【符号の説明】
１…照明器具本体、１ａ…透光カバー、１ｂ…凹部、１ｃ…側面、２…３段階切替接点部、３…固定金具、４…カバー、５…遮光フード、５ａ…境界壁、６…反射形赤外線センサ、７…基材、１１…蛍光灯、１２…ソケット、１３…点灯回路、１４…電源装置、１５…検知回路、１６…自動点消灯制御回路。
【図１】
2004265732.tif 000003
【図２】
2004265732.tif 000004
【図３】
2004265732.tif 000005